(57)【要約】【課題】仕切体の誤った向きでの配置を回避すると共に、中仕切り部の不安定さや変形の発生を抑制する。【解決手段】包装体は、個装箱１００と、個装箱１００とは別体に独立して構成される独立仕切り２００とからなる。個装箱１００の前側壁１１２の上縁部１０６からは、立ち壁部１０３を介して中仕切り部１０１が延長して形成される。上縁部１０６を回動中心として中仕切り部１０１を回動させて折り込み、独立仕切り２００の上に被せることで、独立仕切り２００で形成される空間とは別に、中仕切り部１０１の上方に収納空間Ｓ１が確保される。独立仕切り２００において、鉛直方向に沿う垂直側壁２２０の上部に突部２０３が形成され、中仕切り部１０１に嵌合穴１０４が形成される。中仕切り部１０１を折り込むとき、突部２０３が嵌合穴１０４に挿入嵌合されて、中仕切り部１０１から上方に突き出る。【選択図】図１
2012254820.tif 000002
【特許請求の範囲】
【請求項１】
外箱と、
前記外箱とは別体に独立して構成されて前記外箱の中に配置され、製品を収納する空間を形成するための仕切体と、
前記外箱の側壁から延設され、前記外箱の中に配置された前記仕切体の上に折り込まれることで、前記仕切体で形成される空間とは別に前記外箱の上部に収納空間を形成するための中仕切り部とを有し、
前記仕切体には、前記外箱の中に配置された状態で上方に突出する突部が設けられ、
前記中仕切り部には、前記突部に対応する嵌合穴が形成され、
前記外箱の中に配置された前記仕切体の上に前記中仕切り部が折り込まれた状態で、前記嵌合穴に前記突部が挿入嵌合されるように構成されることを特徴とする包装体。
【請求項２】
前記外箱は完成状態で直方体形状であり、平面視において、前記突部は、前記外箱の前記仕切体が延設される側壁に平行な方向とそれに垂直な方向の少なくとも一方の方向において中心位置を避けて形成されることを特徴とする請求項１記載の包装体。
【請求項３】
平面視において、前記突部は、前記外箱の前記仕切体が延設される側壁に対して平行でない方向を長手方向として形成されることを特徴とする請求項１または２記載の包装体。
【請求項４】
前記突部は、前記外箱の中に配置された状態の前記仕切体の鉛直方向に沿う壁部の上部として形成されることを特徴とする請求項１乃至３のいずれか１項に記載の包装体。
【請求項５】
前記中仕切り部には、前記外箱の中に配置された前記仕切体の上に折り込まれた状態で上方に突出する受け部が、前記嵌合穴から所定の間隔を隔てた位置に設けられることを特徴とする請求項１乃至４のいずれか１項に記載の包装体。
【請求項６】
前記受け部は、前記中仕切り部において切り起こしにより形成されることを特徴とする請求項５記載の包装体。
【発明の詳細な説明】
【技術分野】
【０００１】
本発明は、外箱内に製品収納用の仕切体を内装すると共にその上に中仕切り部を配置して収納空間をさらに設ける包装体に関する。
【背景技術】
【０００２】
従来、ビデオカメラ、デジタルカメラ等の製品本体と、コード類、電池、電源アダプター等の付属品や取扱説明書等をそれぞれ所定の位置に収納するために仕切りを採用した包装体が知られている。その中で、外箱である個装箱に、該個装箱とは独立した仕切体を配置し、その上に中仕切り部を配置して、個装箱の上部に収納空間を形成した包装体がある。
【０００３】
下記特許文献１（第１６図）に示されるものでは、製品本体と付属品をそれぞれ所定の位置に配置する独立の仕切り部材（仕切体）を個装箱に入れる。その後、個装箱の側面の一部を延長した中仕切り部を独立の仕切り部材の上に折り込んで冊子類用の収納空間を形成している。すなわち、段ボール製等の独立の仕切り部材を展開状態から折り上げて付属品収納部と本体の収納部とを形成したものを個装箱に入れる。付属品収納部にはコード類、電池、電源アダプター等を入れ、本体収納部にはビデオカメラ本体を袋に入れた状態で収納する。さらに、その上に中仕切り部を折り込んで付属品と本体に対する押さえとするとともに、取扱説明書等の冊子類や、ＣＤ−ＲＯＭ等の円盤状のメディアを収納するのに適した薄板状の上部空間を形成する。
【先行技術文献】
【特許文献】
【０００４】
【特許文献１】特開２００５−２９７９９２号公報
【発明の概要】
【発明が解決しようとする課題】
【０００５】
しかしながら、上記の特許文献１の包装体は、中仕切り部は側壁から延設されているだけで特に固定されているわけではないので強度が不十分であり不安定でもある。そのため、包装体が外力を受けると包装体全体としても変形しやすい。例えば、輸送中等に振動を受けたり落下したりすると、内容物の損壊、こすれや破れ等が発生するおそれがある。
【０００６】
また、独立の仕切り部材を個装箱に入れる際、間違えて左右の向きを逆に入れても気が付かないままになるという問題もあった。製品を現に量産している現場では組立作業が管理されているので左右の逆入れは発生しにくい。しかし、生産ライン以外の部署や小売店等では、一旦、個装箱から内容物及び独立の仕切り部材を出した後、これらを再度入れ直す時になって、正しい方向が分からなくなることもあり得る。特に包装体は直方体であることが多く、独立の仕切り部材の向きが逆であっても収容自体は可能であることが多い。
【０００７】
本発明は上記従来技術の問題を解決するためになされたものであり、その目的は、包装体において、仕切体の誤った向きでの配置を回避すると共に、中仕切り部の不安定さや変形の発生を抑制できるようにすることにある。
【課題を解決するための手段】
【０００８】
上記目的を達成するために本発明は、外箱と、前記外箱とは別体に独立して構成されて前記外箱の中に配置され、製品を収納する空間を形成するための仕切体と、前記外箱の側壁から延設され、前記外箱の中に配置された前記仕切体の上に折り込まれることで、前記仕切体で形成される空間とは別に前記外箱の上部に収納空間を形成するための中仕切り部とを有し、前記仕切体には、前記外箱の中に配置された状態で上方に突出する突部が設けられ、前記中仕切り部には、前記突部に対応する嵌合穴が形成され、前記外箱の中に配置された前記仕切体の上に前記中仕切り部が折り込まれた状態で、前記嵌合穴に前記突部が挿入嵌合されるように構成されることを特徴とする。
【発明の効果】
【０００９】
本発明によれば、仕切体の誤った向きでの配置を回避すると共に、中仕切り部の不安定さや変形の発生を抑制することができる。
【図面の簡単な説明】
【００１０】
【図１】本発明の一実施の形態に係る包装体を、独立仕切りと個装箱とに分けて示す斜視図である。
【図２】独立仕切りを個装箱に収納した状態を示す斜視図、製品梱包後の包装体の斜視図である。
【図３】中仕切り部を折り込んだ状態の包装体と、それに梱包される取扱説明書及びディスク袋を示す斜視図である。
【図４】個装箱内に内容物を入れた状態を示す包装体の斜視図である。
【図５】図４の状態の包装体の平面図である。
【図６】独立仕切りの展開図である。
【発明を実施するための形態】
【００１１】
以下、本発明の実施の形態を図面を参照して説明する。
【００１２】
図１は、本発明の一実施の形態に係る包装体を、独立仕切りと個装箱とに分けて示す斜視図である。図２（ａ）は、独立仕切りを個装箱に収納した状態を示す斜視図である。図２（ｂ）は、製品梱包後の包装体の斜視図である。
【００１３】
この包装体は、外箱である個装箱１００と、個装箱１００とは別体に独立して構成されて個装箱１００の中に配置される仕切体である独立仕切り２００とからなる。この包装体に梱包される製品類としてビデオカメラを例示する。従って、ビデオカメラの製品本体と、これに付随するコード類、電池、電源アダプター等の付属品と、取扱説明書３０１（図３）、保証書等の冊子類、紙片類あるいは円盤上のメディア類を、カメラ一台分をまとめて一式収納して販売単位とする。
【００１４】
個装箱１００は、完成状態で且つ製品の梱包状態では直方体形状となる（図２（ｂ）参照）。個装箱１００の上下方向については、床面に載置された状態において製品類や独立仕切り２００を出し入れする開口側を上側とする。
【００１５】
図１に示すように、独立仕切り２００は、個装箱１００とは独立した段ボール製の別部材で、平面状に展開した状態のもの（図６で後述）を、カメラの梱包現場や別の場所で折り上げて立体的に作成される。立体的な折り上げ状態においては空間がいくつかに仕切られる。独立仕切り２００を立体的に組み立ててから個装箱１００に収容することで、個装箱１００内の空間を用途別に仕切ることができる。例えば、製品を収納する空間である製品収納部２０１や緩衝空間Ｓ２等の空間が形成される。
【００１６】
例えば、段ボールで仕切られた製品収納部２０１は、ビデオカメラ本体を袋に入れたものを収納する空間である。付属品収納部２０２は、独立仕切り２００を個装箱１００に収納した状態で、コード類、電池、電源アダプター等のビデオカメラの付属品類を収納するための空間である。
【００１７】
立体的に組み立てられた独立仕切り２００において、製品収納部２０１を囲んで鉛直方向に沿う側壁が四方に形成されるが、そのうちの１つの垂直側壁２２０の上部に突部２０３が延長して形成される。突部２０３は垂直側壁２２０の一部として一体に形成されるので、高い強度を保持するのに有利である。突部２０３は、独立仕切り２００の垂直側壁２２０以外の側壁よりも高く突き出ており、独立仕切り２００において最も高い部分となっている。
【００１８】
個装箱１００は、四方の側壁を有して平面視矩形である。四方の側壁のうち前側壁１１２の側を前側と呼称する。また、前側壁１１２を正面から見て左右方向を呼称する。前側壁１１２の上縁部１０６には、側面視で「くの字」状の立ち壁部１０３が連接して形成され、立ち壁部１０３に中仕切り部１０１が延長して形成されている。中仕切り部１０１は、立ち壁部１０３を介して上縁部１０６を中心に回動自在である。中仕切り部１０１の自由端縁に立ち壁部１０２が形成される。
【００１９】
個装箱１００の、前側壁１１２に連接する左右の側壁の上部からは、それぞれフラップ１０７が延長して形成される。後側の壁部の上部からは、天面１０８が延長して形成される。
【００２０】
中仕切り部１０１には、突部２０３に対応して、スリット状の嵌合穴１０４が形成される。嵌合穴１０４の長さや幅は、突部２０３の長さや幅に対応しており、嵌合的な関係となっている。嵌合穴１０４から離間した位置には、中仕切り部１０１の一部を切り起こして形成した受け部１０５が設けられる。受け部１０５は、組立時に個装箱１００の上側に突出するよう折り立てることができる。受け部１０５は、中仕切り部１０１に後付けで設けてもよいが、切り起こして形成することで部品点数を増やさないで済む。
【００２１】
前後左右において、個装箱１００の内寸と立体的とされた独立仕切り２００の外寸とは、ガタなく丁度位置決めされる嵌合関係となっている。個装箱１００の中に独立仕切り２００を入れ、製品収納部２０１内にビデオカメラ本体を収納した状態で、上縁部１０６を回動中心として中仕切り部１０１を回動させて折り込み、独立仕切り２００の上に被せる。これにより、独立仕切り２００で形成される空間とは別に、個装箱１００の上部において中仕切り部１０１の上方に、薄板状の収納空間Ｓ１（図３）が確保される。
【００２２】
図３は、中仕切り部１０１を折り込んだ状態の包装体と、それに梱包される取扱説明書３０１及びディスク袋３０２を示す斜視図である。
【００２３】
中仕切り部１０１を折り込むとき、突部２０３が嵌合穴１０４に挿入嵌合され、独立仕切り２００のうち突部２０３のみが中仕切り部１０１から上方に突き出た状態となる（図２（ａ）、図３）。立ち壁部１０３を含む中仕切り部１０１についても、平面視における外寸と個装箱１００の内寸とは、ガタがないような嵌合関係となっている。中仕切り部１０１のその主面である中仕切り面と前後両側の立ち壁部１０２、１０３とが、個装箱１００と協働して、収納空間Ｓ１を形成する。
【００２４】
図４は、個装箱１００内に内容物を入れた状態を示す包装体の斜視図である。図５は、図４の状態の包装体の平面図である。
【００２５】
取扱説明書３０１の寸法は、いわゆるＡ版、Ｂ版からＡ６，Ａ５，Ｂ６，Ｂ５等の規格寸法から選ばれることがほとんどである。例えば、Ａ６サイズは１０５×１４８ｍｍ，Ｂ６サイズは１２８×１８２ｍｍである。円盤状のメディアを収納したディスク袋３０２の寸法は、メディアが直径１２０ｍｍ，ディスク袋３０２が１２５ｍｍ四方程度のものがほとんどである。１２５ｍｍ四方の袋であればＢ６サイズに全体が隠れるが、Ａ６サイズの取扱説明書３０１に対して、長手方向は短いが短辺方向は長い。
【００２６】
本実施の形態では一例として、取扱説明書３０１がＡ６サイズ、ディスク袋３０２が１２５ｍｍ四方のサイズであるとする。薄板状の収納空間Ｓ１の中で、ディスク袋３０２の上に取扱説明書３０１が重ねられるように収納される。取扱説明書３０１は長手方向が左右方向となるように配置される。取扱説明書３０１の長手方向は突部２０３と受け部１０５とにより位置決めされ、ディスク袋３０２の前後方向は立ち壁部１０２と立ち壁部１０３とにより位置決めされる。
【００２７】
嵌合穴１０４と受け部１０５との左右方向の距離は所定の間隔Ｌ３（図５）に設定してあり、間隔Ｌ３は、取扱説明書３０１の長手方向（左右方向）の長さより若干長く設定してある。これにより、取扱説明書３０１は、その長手方向が突部２０３と受け部１０５との間に大きなガタがない状態で位置決め収納される。
【００２８】
一方、中仕切り部１０１の立ち壁部１０２と立ち壁部１０３との間の前後方向の距離は、ディスク袋３０２の前後方向の幅より若干長く設定してある。これにより、ディスク袋３０２は、前後方向に大きなガタなく位置決め収納される。
【００２９】
仮に、取扱説明書３０１がＢ６サイズ等、ディスク袋３０２より両辺とも大きい場合は、立ち壁部１０２と立ち壁部１０３との距離も取扱説明書３０１の短辺側に合わせるのがよい。
【００３０】
次に、図６を用いて、独立仕切り２００の折り上げ方を説明する。図６は、独立仕切り２００の展開図である。図６において、展開図の中に引かれた線はスジ押しやミシン目加工等が施された折り線で、実線が谷折り線、点線が山折り線である。
【００３１】
展開状態の独立仕切り２００において、底面２０４は、製品収納部２０１の底面となり、ビデオカメラ本体を袋に入れたものの支持面となる。４箇所の谷折り線２０５で底面２０４の周囲四方の垂直側壁２２０を含む４側壁を立ち上げると周囲が囲まれて製品収納部２０１（図１）ができる。その際同時に、４箇所の山折り線２０６を山折りし、４箇所の谷折り線２０７を谷折りする。それにより、独立仕切り２００が個装箱１００に内装されたとき、製品収納部２０１の長手方向の両外側において、個装箱１００の内壁との間に、落下時等の衝撃を緩和する緩衝空間Ｓ２が形成される（図１、図２（ａ））。
【００３２】
次に、１箇所の山折り線２０８で山折りし、左右両側の谷折り線２０９で谷折りすると、前側面２１０と左右２つのフラップ面２１１とが形成される。それにより、独立仕切り２００が個装箱１００に内装されたとき、前側面２１０と左右２つのフラップ面２１１と個装箱１００の前側壁１１２とで、包装体の前部に付属品収納部２０２（図１、図２（ａ））が形成される。
【００３３】
最後に、山折り線２１２で山折りすると後側面２１３が形成されて組立が完了し、立体的な独立仕切り２００が得られる。
【００３４】
図６に示すように、独立仕切り２００の組み立て状態においては、前側面２１０と後側面２１３の共通の高さＨ１は、製品収納部２０１の前後の立ち壁部の底面２０４からの高さＨ２より大きく設定されている。従って、個装箱１００に内装されたとき、製品収納部２０１の底面２０４が個装箱１００の底面から浮いた状態となり、底面２０４の下方に緩衝用の空間が確保される。
【００３５】
底面２０４からの垂直側壁２２０の高さＨ３は、高さＨ２より大きいが、垂直側壁２２０の上部、すなわち突部２０３は個装箱１００の天面１０８から出ない程度の高さに設定してある。
【００３６】
突部２０３の前後幅Ｌ１は、中仕切り部１０１の嵌合穴１０４の長さと同じで、ガタなく係合位置決めされる嵌合関係にある。突部２０３の角部の１つは、斜面にカットされた面取部２０３ａとなっている。これにより、中仕切り部１０１を折り込んだとき、面取部２０３ａが嵌合穴１０４のガイド機能を果たし、嵌合穴１０４に突部２０３が嵌まりやすくなっている。
【００３７】
図４に示す状態から、個装箱１００の両フラップ１０７、１０７を内側へ閉じ、その上に天面１０８を折り込む。そして、天面１０８の一部を延長した片であるベロ部１１０を、前側壁１１２の上縁部１０６に連接して形成されたスリット状の孔１０９（図４）に差し込む。そして最後に、前側壁１１２の上部に形成された係止片１１１をベロ部１１０の孔１１０ａに差し込んでロックすると、図２（ｂ）に示す状態となり、梱包が完了する。
【００３８】
個装箱１００は直方体形状なので、独立仕切り２００は個装箱１００の中に左右を逆向きにしても入れることが可能である。仮に突部２０３が無いとすると、中仕切り部１０１を逆向きでも違和感なく折り込むことができてしまうので、間違いに気づかずに梱包してしまうおそれがある。量産工場での組み立て中は、次々に同じ物を組み立てていることと、組立作業標準等の指示書が手元にあるので間違いは起こり難い。しかし、量産ラインとは別の場所や小売店等では、一度中味を出した後に元に戻すときになって正しい向きが不明になりがちである。
【００３９】
本実施の形態では、独立仕切り２００に突部２０３を設けたので、独立仕切り２００を逆向きに入れた場合には、突部２０３が嵌合穴１０４に嵌合されず、中仕切り部１０１が突部２０３に当たって正しい位置に折り込めない。従って、間違いに直ぐに気が付くことが可能である。
【００４０】
突部２０３は、立体的な独立仕切り２００の長手方向における右寄りの位置に配置されている。従って、突部２０３及び嵌合穴１０４という一組の係合によって、独立仕切り２００の左右逆向き配置に気が付くようにすることができる。一組の係合でこのような誤配置防止機能を果たすためには、突部２０３は、平面視において、前側壁１１２に平行な方向（左右方向）とそれに垂直な方向（前後方向）の少なくとも一方の方向において中心位置を避けて形成されていればよい。
【００４１】
独立仕切り２００を左右正しい向きに入れた場合には、突部２０３は嵌合穴１０４に丁度嵌り込み、位置決めされて中仕切り部１０１と独立仕切り２００とは結合状態となり、共に個装箱１００内で水平方向の動きが規制乃至固定される。中仕切り部１０１が位置決めされない状態では個装箱１００の上部が変形しやすく包装体全体としての強度が弱くなってしまうが、中仕切り部１０１が位置決め固定されることで包装体の上部が変形し難くなり、全体としての強度が増加する。
【００４２】
特に、中仕切り部１０１は、前側壁１１２に連接しているので、左右方向には多少は強いが、突部２０３が無いとすると前後方向に弱い。前後方向に沿う突部２０３があることで、前後方向の力に対しても強度が増す。この観点からは、突部２０３は、本実施の形態のように、平面視において、中仕切り部１０１が延設される前側壁１１２に対して垂直交差するのが最も好ましいが、それに限らず、前側壁１１２に対して平行でない方向を長手方向として形成されていればよい。
【００４３】
図５に示す、突部２０３（乃至嵌合穴１０４）と受け部１０５との左右方向の間隔Ｌ３は、上記のように取扱説明書３０１の左右方向の長さより若干長く設定してある。従って、取扱説明書３０１の梱包作業上の支障のない範囲でできる限りガタが少ない寸法となっている。これにより、受け部１０５と突部２０３との間に収納される収納物（取扱説明書３０１）の動きを規制することができる。
【００４４】
個装箱１００の寸法は、カメラ本体の大きさや緩衝空間Ｓ２の設定によっても様々であり、個装箱１００の左側の内壁と突部２０３との間隔Ｌ２も一定ではない。しかし本実施の形態では、突部２０３から左方に間隔Ｌ３を隔てた位置に受け部１０５を立て、本体の大きさや緩衝空間Ｓ２の設定によらず、Ａ６サイズの取扱説明書３０１に適した収納場所を確保している。
【００４５】
本実施の形態では、一例として取扱説明書３０１のサイズをＡ６としているが、これに限定するものではない。通常、取扱説明書等の冊子はいわゆるＡ系列やＢ系列の規格サイズでできており、個装箱１００の外形寸法に合わせて自由に決めることはできない。しかし、冊子に採用された規格サイズに合わせて間隔Ｌ３を決めることで、冊子をガタが少なく収納できる。また、規格サイズで無い場合でも、その寸法に応じて間隔Ｌ３を決め、受け部１０５を立てればよい。
【００４６】
本実施の形態によれば、個装箱１００に対する、仕切体である独立仕切り２００の誤った向きでの配置を回避すると共に、中仕切り部１０１の不安定さや変形の発生を抑制することができる。
【００４７】
なお、中仕切り部１０１は、個装箱１００の側壁の１つから延設されればよく延設位置は側壁の上部に限るものではない。また、中仕切り部１０１は、個装箱１００の側壁と一体に形成されるのが好ましいが、後付けで一体的に構成されるように設けてもよい。
【００４８】
また、突部２０３は、独立仕切り２００に対して固定的に設けられればよく、一体に形成されることは必須でなく、後付けにより固定してもよい。
【００４９】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００５０】
１００  個装箱
１０１  中仕切り部
１０４  嵌合穴
１０５  受け部
１１２  前側壁
２００  独立仕切り
２０３  突部
Ｓ１  収納空間
【図１】
2012254820.tif 000003
【図２】
2012254820.tif 000004
【図３】
2012254820.tif 000005
【図４】
2012254820.tif 000006
【図５】
2012254820.tif 000007
【図６】
2012254820.tif 000008